(57)【要約】【課題】ガラスの外れ止め機能を低下させることなく火災発生時のガラスの外れ止めに起因するガラスのヒビや破損の発生を効果的に防止できる建具を提供すること。【解決手段】建具１は、縦框１３に固定される保持金具４１及び保持金具４１側からガラス２５の端部の見込方向一側に対面する位置まで延びる金属製の押さえ片４２を有するガラス外れ止め部材４０ａと、縦框１３，１４に固定される樹脂製保持部材１４１及び樹脂製保持部材１４１によって保持され、ガラス２５の端部の見込方向一側に対面する位置まで延びる押さえ片４２を有するガラス外れ止め部材４０ｂと、を備える。ガラス外れ止め部材４０ａの押さえ片４２の保持金具４１側から前記ガラス２５側への延出方向におけるガラスの掛かり量ｌ１よりもガラス外れ止め部材４０ｂの押さえ片４２の樹脂製保持部材１４１側からガラス２５側への延出方向におけるガラスの掛かり量ｌ２の方が大きく構成される。【選択図】図３
2019065559.tif 000002
【特許請求の範囲】
【請求項１】
框体及び前記框体の内側に納められるガラスを備える建具であって、
前記框体に固定される金属製保持部材及び前記金属製保持部材側から前記ガラスの端部の見込方向一側に対面する位置まで延びる金属製の第１押さえ片を有する第１ガラス外れ止め部材と、
前記框体に固定される樹脂製保持部材及び前記樹脂製保持部材によって保持され、前記ガラスの端部の見込方向一側に対面する位置まで延びる第２押さえ片を有する第２ガラス外れ止め部材と、を備え、
前記第１押さえ片の前記金属製保持部材側から前記ガラス側への延出方向におけるガラスの掛かり量よりも前記前記第２押さえ片の前記樹脂製保持部材側から前記ガラス側への延出方向におけるガラスの掛かり量の方が大きく構成される建具。
【請求項２】
前記第１押さえ片は、係合によって前記金属製保持部材に保持され、
前記第２押さえ片は、係合によって前記金属製保持部材よりも前記ガラスの端面に近い位置で前記樹脂製保持部材に保持され、
前記第１押さえ片と前記第２押さえ片が共通の形状である請求項１に記載の建具。
【請求項３】
前記第１ガラス外れ止め部材は、前記框体のうち縦框に設けられ、
少なくとも１つの前記第２ガラス外れ止め部材よりも下部に配置される請求項１又は請求項２に記載の建具
【発明の詳細な説明】
【技術分野】
【０００１】
本発明は、ガラス及びガラス外れ止め部材を備える建具に関する。
【背景技術】
【０００２】
従来、框体の内側に納められるガラスが外れないように、框体にガラス外れ止め部材を配置する建具が知られている。この種の建具を開示するものとして例えば特許文献１や特許文献２がある。
【０００３】
特許文献１には、合成樹脂製の窓枠又は窓框に複層ガラスを装着してなる複層ガラス窓の防火構造において、複層ガラスにおける少なくとも左右両辺部の外周端に金属製カバーを被着するとともに、複層ガラスの外周端が嵌合される、窓枠又は窓框における内周溝部に、耐熱性ガラス外れ止めを設けた複層ガラス窓の防火構造について記載されている。例えば、特許文献１の図１や図６には、室内側ガラス外れ止めと、この室内側ガラス外れ止めに係脱可能に組み付けられる室外側ガラス外れ止めとから構成される耐熱性ガラス外れ止めが示される。
【０００４】
特許文献２には、ガラスの室内又は室外に臨む一方の面と対面する第１対面部を有し框体に固定される金属製の固定金具と、ガラスの室内又は室外に臨む他方の面と対面する第２対面部を有し固定金具に係止される金属製の係止金具と、を備える樹脂製建具について記載されている。例えば、図８や図９には、框部材に固定される固定金具と、固定金具に設けられた係止部に係止される係止金具とが対をなして構成され、上框及び下框とガラスとの間にそれぞれ２つずつ、左框及び右框とガラスの間にそれぞれ５つずつ設けられているガラス保持金具が示される。
【先行技術文献】
【特許文献】
【０００５】
【特許文献１】特開２０１２−１４０７８５号公報
【特許文献２】特開２０１０−２４８８３６号公報
【発明の概要】
【発明が解決しようとする課題】
【０００６】
樹脂製の框体に固定されるガラス外れ止め部材は、ガラスの脱落を防止できるものの、火災発生時に生じるガラスの反りや框体の溶融等によって力が掛かり、ガラスのヒビや破損の原因となるおそれがあった。ガラス外れ止め部材のガラスの掛かり量を小さくすれば火災発生時にガラスに掛かる力は小さくなるものの、ガラスの外れ止め機能が低下することになる。
【０００７】
本発明は、ガラスの外れ止め機能を低下させることなく火災発生時のガラスの外れ止めに起因するガラスのヒビや破損の発生を効果的に防止できる建具を提供することを目的とする。
【課題を解決するための手段】
【０００８】
本発明は、框体（例えば、後述の框体１０）及び前記框体の内側に納められるガラス（例えば、後述のガラス２５）を備える建具（例えば、後述の建具１）であって、前記框体に固定される金属製保持部材（例えば、後述の保持金具４１）及び前記金属製保持部材側から前記ガラスの端部の見込方向一側に対面する位置まで延びる金属製の第１押さえ片（例えば、後述のガラス外れ止め部材４０ａの押さえ片４２）を有する第１ガラス外れ止め部材（例えば、後述のガラス外れ止め部材４０ａ）と、前記框体に固定される樹脂製保持部材（例えば、後述の樹脂製保持部材１４１）及び前記樹脂製保持部材によって保持され、前記ガラスの端部の見込方向一側に対面する位置まで延びる第２押さえ片（例えば、後述のガラス外れ止め部材４０ｂの押さえ片４２）を有する第２ガラス外れ止め部材（例えば、後述のガラス外れ止め部材４０ｂ）と、を備え、前記第１押さえ片の前記金属製保持部材側から前記ガラス側への延出方向におけるガラスの掛かり量（例えば、後述のｌ１）よりも前記前記第２押さえ片の前記樹脂製保持部材側から前記ガラス側への延出方向におけるガラスの掛かり量（例えば、後述のｌ２）の方が大きく構成される建具に関する。
【０００９】
前記第１押さえ片は、係合によって前記金属製保持部材に保持され、前記第２押さえ片は、係合によって前記金属製保持部よりも前記ガラスの端面に近い位置で前記樹脂製保持部材に保持され、前記第１押さえ片と前記第２押さえ片が共通の形状であることが好ましい。
【００１０】
前記第１ガラス外れ止め部材は、前記框体のうち縦框に設けられ、少なくとも１つの前記第２ガラス外れ止め部材よりも下部に配置される。
【発明の効果】
【００１１】
本発明の建具によれば、ガラスの外れ止め機能を低下させることなく火災発生時のガラスの外れ止めに起因するガラスのヒビや破損の発生を効果的に防止できる。
【図面の簡単な説明】
【００１２】
【図１】本発明の一実施形態に係る建具を示す正面図である。
【図２】本実施形態の建具の縦断面図である。
【図３】本実施形態の建具が備える縦框に固定されるガラス外れ止め部材及びその周囲を示す図１のＡ−Ａ線断面図である
【図４】本実施形態の建具が備える縦框に固定されるガラス外れ止め部材及びその周囲を示す図１のＢ−Ｂ線断面図である。
【図５】本実施形態の保持金具が金属製のガラス外れ止め部材の分解斜視図である。
【図６】本実施形態の樹脂製保持部材の平面図である。
【図７】本実施形態の樹脂製保持部材の正面図である。
【図８】変形例のガラス外れ止め部材の保持金具の斜視図である。
【発明を実施するための形態】
【００１３】
以下、本発明の好ましい実施形態について、図面を参照しながら説明する。なお、本明細書において、「見付方向」とは、建物に形成された開口部に納められた建具（サッシ）の枠体に収められるガラスや障子の面内方向を意味し、「見込方向」とは、室内外方向（即ち、奥行き方向）を意味する。
【００１４】
図１は、本発明の一実施形態に係る建具１を示す正面図である。本実施形態の建具１は、防火仕様のＦＩＸ窓である。まず、建具１の全体構成について説明する。本実施形態の建具１は、建物開口部に固定される框体１０と、框体１０の内側に納められるガラス２５と、を備える。
【００１５】
框体１０は、上框１１、下框１２、縦框１３及び縦框１４が矩形に枠組みされて構成される。上框１１、下框１２、縦框１３及び縦框１４は、何れも樹脂製であり、溶着によって接合される。
【００１６】
図２は、本実施形態の建具１の縦断面図である。上框１１の内部は、見込方向で複数の空間に区画されており、室外側から室内側の順に中空部１１ａ，１１ｂ，１１ｃが形成される。中空部１１ｃには金属製の上框芯材１１ｄが配置される。上框１１の室外側には押し縁部材１２７が嵌合固定される。また、上框１１の室内側下部には、下方に延びる延出部１１ｅが形成され、延出部１１ｅの室外側の見付面にはガラス止め部材１２８が配置される。押し縁部材１２７とガラス止め部材１２８は、見込方向でガラス２５を挟み込む対向する位置関係にある。
【００１７】
下框１２の内部にも、見込方向に複数の中空部１２ａ，１２ｂ，１２ｃが形成され、中空部１２ｂには金属製の下框芯材１２ｄが配置される。下框１２の室外側には押し縁部材１２７が嵌合固定される。また、下框１２の室内側上部には、上方に延びる延出部１２ｅが形成され、延出部１２ｅの室外側の見付面にはガラス止め部材１２８が配置される。押し縁部材１２７とガラス止め部材１２８は、見込方向でガラス２５を挟み込む対向する位置関係にある。また、下框１２にはガラス２５の下端面を支持するセッティングブロック９０が配置される。
【００１８】
図３は、本実施形態の建具１の横断面図であって図１のＡ−Ａ線断面図であり、図４は、図１のＢ−Ｂ線断面図である。図３及び図４に示すように、縦框１３の内部も、見込方向で区画された複数の中空部１３ａ，１３ｂ，１３ｃが形成され、中空部１３ｂには金属製の縦框芯材１３ｄが配置される。縦框１３の室外側には押し縁部材１２７が嵌合固定される。また、縦框１３の室内側には、もう一方の縦框１４側に延びる延出部１３ｅが形成され、延出部１３ｅの室外側の見付面にはガラス止め部材１２８が配置される。
【００１９】
縦框１４は、その構成が縦框１３と左右対称の同様の構造であるのでその詳細な説明を省略する。
【００２０】
ガラス２５は、室外側に配置される室外側ガラス２５ａと、室外側ガラス２５ａに対して隙間をあけて室内側に配置される室内側ガラス２５ｂと、を備える複層ガラスである。室外側ガラス２５ａと室内側ガラス２５ｂの間にはスペーサ２６等が配置される。
【００２１】
室外側ガラス２５ａは、室内側ガラス２５ｂよりも耐熱性が高いものが用いられる。本実施形態における耐熱性が高いとは、高温環境下において溶融し難い材質で構成される耐熱強化ガラスだけではなく、構造によってその形状を留める工夫がなされた網ガラス等のようなものも含むものとする。例えば、所定の基準に従って所定時間、高温環境にさらされたときに、室外側ガラス２５ａが室内側ガラス２５ｂよりもその形状を留めることができるような場合である。本実施形態では、室外側ガラス２５ａには網入ガラスが用いられ、室内側ガラスには内面に金属膜が設けられた高断熱ガラス、いわゆるＬｏｗ-Ｅ（Ｌｏｗ Ｅｍｉｓｓｉｖｉｔｙ）ガラスが用いられている。
【００２２】
次に、框体１０の内側の見込面に配置されるガラス外れ止め部材４０について説明する。図１に示すように、框体１０（上框１１、下框１２、縦框１３及び縦框１４）の内側の見込面にはガラス外れ止め部材４０が１又は複数配置される。なお、框体１０の内側の見込面とは、框体１０におけるガラス２５に対向する面である。
【００２３】
本実施形態では、縦框１３，１４には２種類のガラス外れ止め部材４０が用いられる。以下の説明において、２種類のガラス外れ止め部材４０のうち、上框１１及び下框１２にも適用されるものをガラス外れ止め部材４０ａとし（図３参照）、縦框１３，１４の一部に用いられるものをガラス外れ止め部材４０ｂとして説明する（図４参照）。なお、ガラス外れ止め部材４０ａ及びガラス外れ止め部材４０ｂの位置は、あくまで例示であり、図３がＢ−Ｂ線断面図であってもよいし、図４がＡ−Ａ線断面図であってもよい。また、図１に示すガラス外れ止め部材４０の位置とは別の場所にガラス外れ止め部材４０ａ及びガラス外れ止め部材４０ｂが配置される構成としてもよい。
【００２４】
まず、図３に示すガラス外れ止め部材４０ａについて説明する。ガラス外れ止め部材４０ａは、框体１０に固定される保持金具４１と、保持金具４１によって保持される押さえ片４２と、を備える。保持金具４１及び押さえ片４２は、何れも金属製（例えば、ステンレス鋼）である。
【００２５】
図５は、本実施形態の保持金具が金属製のガラス外れ止め部材の分解斜視図である。図５に示すように、保持金具４１は、框体１０との間に隙間を形成する台部４１ａと、台部４１ａの両側（見込方向に直交する）に配置される取付部４１ｂと、を備える。両側の取付部４１ｂのそれぞれには、見込方向に細長い締結孔４１ｃが形成される。この締結孔４１ｃに締結部材としてのネジ４５が締結されることにより、保持金具４１が框体１０に固定される。台部４１ａは、固定された状態で框体１０の見込面との間に隙間を形成する。台部４１ａの室内側の端部には、室内側から室外側に切り欠かれた係合孔４１ｄが形成される。また、台部４１ａの室内側の端部には、ガラス２５側に向かって延出する延出片４１ｅが形成される。延出片４１ｅは、係合孔４１ｄを跨る壁状に形成されており、保持金具４１に係合された状態の押さえ片４２に対向する。
【００２６】
押さえ片４２は、ガラス２５の端部に対向する押さえ部４２ａと、押さえ部４２ａの下部から室内側に延びる係合部４２ｂと、押さえ部４２ａの下部で係合部４２ｂの両側にそれぞれ延びる足部４２ｃと、を備える。押さえ片４２の係合部４２ｂが保持金具４１の係合孔４１ｄに係合することで押さえ片４２が保持金具４１に係合固定される。本実施形態の係合部４２ｂは、その先端がガラス２５側に突出する爪状に形成されており、台部４１ａの裏側を通って爪状の部分が係合孔４１ｄの端面に係合する。
【００２７】
本実施形態では、押さえ片４２は、保持金具４１に係合した状態でも見込方向で若干の移動が可能となっている。保持金具４１と押さえ片４２の係合を解除する場合は、係合部４２ｂの爪状の部分を框体１０側に押し込んで係合を解除し、押さえ片４２を室内外側に移動させる。
【００２８】
框体１０に固定されたガラス外れ止め部材４０ａの取付状態について説明する。ガラス外れ止め部材４０が縦框１３に固定された状態では、押さえ部４２ａが室外側ガラス２５ａの縦框１３側の端部（左右方向一側の端部）に室外側で対面した状態となる。ガラス外れ止め部材４０ａは、保持金具４１を框体１０に取り付けた状態で加熱発泡材３８を配置し、ガラス２５を嵌め込んだ状態で押さえ片４２を保持金具４１に係合させる。加熱発泡材３８は、ガラス２５の４周を囲う帯状に形成されており、ガラス外れ止め部材４０に差し掛かる部分では、保持金具４１の台部４１ａのガラス２５側の面に加熱発泡材３８が載った状態となる。加熱発泡材３８は、接着剤、接着テープ等を用いた接着固定やネジ等を用いた締結固定等、適宜の方法で框体１０に固定される。
【００２９】
保持金具４１は、縦框１３の中空部１３ｂに配置される縦框芯材１３ｄに締結孔４１ｃを通じてネジ４５が締結固定されることにより、縦框１３の見込面に固定される。
【００３０】
次に、図４に示すガラス外れ止め部材４０ｂについて説明する。ガラス外れ止め部材４０ｂは、框体１０に固定される樹脂製の樹脂製保持部材１４１と、樹脂製保持部材１４１によって保持される押さえ片４２と、を備える。ガラス外れ止め部材４０ｂの押さえ片４２は、ガラス外れ止め部材４０ａに用いられるものと同じ仕様の部品であり、金属（例えば、ステンレス鋼）で構成される。
【００３１】
図６は、本実施形態の樹脂製保持部材１４１の平面図である。図７は、本実施形態の樹脂製保持部材１４１の正面図である。図６及び図７に示すように、樹脂製保持部材１４１は、係合孔１４１ａが形成される第１ブロック１４１ｂと、ネジ（図示省略）が締結される締結孔１４１ｃが形成される第２ブロック１４１ｄと、が框体３０の長手方向に並んで一体的に形成される樹脂製のブロック部材である。
【００３２】
係合孔１４１ａは、見込方向に貫通するスリット状に形成されており、押さえ片４２の係合部４２ｂの爪部分が室内側の端部で係合可能に構成される。押さえ片４２は、その係合部４２ｂが係合孔１４１ａの見込方向室外側から室内側に向かって差し込まれることで、樹脂製保持部材１４１に係合固定される。上述のように、係合部４２ｂは、爪状に構成されており、この爪状の部分が係合孔１４１ａの室外側の端部に係合するようになっている。なお、樹脂製保持部材１４１に係合した状態でも押さえ片４２は見込方向で若干の移動が可能となっている。
【００３３】
框体１０に固定されたガラス外れ止め部材４０ｂの取付状態について説明する。ガラス外れ止め部材４０ｂが縦框１３に固定された状態では、押さえ部４２ａが室外側ガラス２５ａの縦框１３側の端部（左右方向一側の端部）に室外側で対面した状態となる。
【００３４】
金属製の保持金具４１によって押さえ片４２を保持するガラス外れ止め部材４０ａよりも、樹脂製の樹脂製保持部材１４１によって押さえ片４２を保持するガラス外れ止め部材４０ｂの方が、ガラス２５の掛かり量が長くなるように設定されている。
【００３５】
縦框１３（縦框１４）に固定されるガラス外れ止め部材４０ａの押さえ片４２のガラス２５（室外側ガラス２５ａ）に見込方向で対面する部分における左右方向の長さをガラスの掛かり量ｌ１とし（図３参照）、ガラス外れ止め部材４０ｂの押さえ片４２のガラス２５（室外側ガラス２５ａ）に見込方向で対面する部分における左右方向の長さをガラスの掛かり量ｌ２とすると、ｌ２＞ｌ１の関係が成立することになる。ガラス外れ止め部材４０ａの押さえ片４２は、押し縁部材１２７のヒダ部１２７ａに接触しない長さとなっている(図４参照)。これに対してガラス外れ止め部材４０ｂの押さえ片４２は押し縁部材１２７のヒダ部１２７ａに接触（当接）する長さになっている（図５参照）。なお、上框１１及び下框１２の場合における押さえ片４２の掛かり量は、ガラス２５に見込方向で対面する部分における上下方向の長さである。
【００３６】
本実施形態では、樹脂製保持部材１４１が、保持金具４１よりもガラス２５の端面に近い位置で押さえ片４２を保持することで、共通の形状の押さえ片４２を用いながらガラス外れ止め部材４０ａとガラス外れ止め部材４０ｂでガラス２５の掛かり量が異なる構成を実現している。
【００３７】
以上説明した上記実施形態の構成によれば、以下のような効果を奏する。
建具１は、框体１０（縦框１３，１４）に固定される保持金具（金属製保持部材）４１及び保持金具４１側からガラス２５の端部の見込方向一側に対面する位置まで延びる金属製の押さえ片（第１押さえ片）４２を有するガラス外れ止め部材４０ａと、框体１０（縦框１３，１４）に固定される樹脂製保持部材１４１及び樹脂製保持部材１４１によって保持され、ガラス２５の端部の見込方向一側に対面する位置まで延びる押さえ片（第２押さえ片）４１を有するガラス外れ止め部材４０ｂと、を備え、ガラス外れ止め部材４０ａの押さえ片４２の保持金具４１側から前記ガラス２５側への延出方向におけるガラスの掛かり量ｌ１よりもガラス外れ止め部材４０ｂの押さえ片４２の樹脂製保持部材１４１側からガラス２５側への延出方向におけるガラスの掛かり量ｌ２の方が大きく構成される。
【００３８】
これにより、火災発生時にはガラス２５の掛かり量ｌ１が相対的に小さいガラス外れ止め部材４０ｂによってガラス２５に過大な力を加えることなくガラス２５の外れ止めを維持しつつ、通常時はガラス２５の掛かり量ｌ２が相対的に大きいガラス外れ止め部材４０ｂによって施工性、」耐風圧強度及び高い防犯機能を実現できる。ガラス外れ止め部材４０ｂの樹脂製保持部材１４１は火災発生時には溶融するのでガラス２５の掛かり量ｌ２が大きくてもガラス２５に過大な力が加わることもない。
【００３９】
また、本実施形態では、ガラス外れ止め部材４０ａの押さえ片４２は、係合によって保持金具４１に保持され、ガラス外れ止め部材４０ｂの押さえ片４２は、係合によって保持金具４１よりもガラス２５の端面に近い位置で樹脂製保持部材１４１に保持される。そして、ガラス外れ止め部材４０ａの押さえ片４２とガラス外れ止め部材４０ｂの押さえ片４２が共通の形状である。
【００４０】
これにより、保持金具４１と樹脂製保持部材１４１によってガラス外れ止め部材４０ａとガラス外れ止め部材４０ｂのそれぞれの掛かり量が決まることになるので、押さえ片４２を共通の形状とすることができ、部品の共通化を実現できる。
【００４１】
上記実施形態のガラス外れ止め部材の構成に限定されるわけではなく、ガラス外れ止め部材の構成は事情に応じて適宜変更することができる。
【００４２】
図８は、変形例のガラス外れ止め部材の保持金具２４１を示す斜視図である。図８に示すように、保持金具２４１は、框体１０との間に隙間を形成する台部２４１ａと、台部２４１ａの両側に配置される取付部２４１ｂと、を備える。両側の取付部２４１ｂのそれぞれには、見込方向に細長い締結孔２４１ｃが形成される。この締結孔２４１ｃに締結部材としてのネジ４５が締結されることにより、保持金具２４１が框体３０に固定される。台部２４１ａは、固定された状態で框体３０の見込面との間に隙間を形成する。台部２４１ａの室内側の端部には、室内側から室外側に切り欠かれた係合孔２４１ｄが形成される。
【００４３】
変形例の押さえ片は、上記実施形態と同様の構成である。変形例の保持金具２４１は、上記実施形態の構成に比べて見込方向に直交する長手方向が長い形状となっており、押さえ片も見込方向に直交する方向が長いものが用いられる。この変形例の保持金具２４１を用いた場合でも、上記実施形態と同様の効果を奏する。
【００４４】
また、上記実施形態や変形例では、押さえ片が室外側に配置される構成であるが、室内外の両方に押さえ片を有する構成や室内側にのみ押さえ片を有する構成とすることも場合によっては可能である。
【００４５】
上記実施形態では、縦框１３、１４に２種類のガラス外れ止め部材４０ａ，４０ｂを用いる例を説明したが、場合によっては上框１１や下框１２等の横框に２種類のガラス外れ止め部材４０ａ，４０ｂを用いることもできる。
【００４６】
また、上記実施形態や変形例では、ＦＩＸ窓のような框体の内側に窓を固定する建具を例として本発明を説明したが、縦辷り窓、横辷り窓のような開閉窓や引違い窓等の開閉可能な障子を備える建具にも本発明を適用することができる。即ち、框体及び框体に納められるガラスを備える障子のガラス外れ止め部材に、本発明を適用することができる。
【００４７】
また、上記実施形態や変形例では、第１ガラス外れ止め部材としてのガラス外れ止め部材４０ａ及び第２ガラス外れ止め部材としてのガラス外れ止め部材４０ｂが、何れも保持部材と押さえ片からなる分割型で構成される例を説明したが、この構成に限定されない。例えば、下框１２に固定されるガラス外れ止め部材をガラス外れ止め部材４０ｂとし、縦框１３，１４及び上框１１には押さえ片４２を直接固定する構成とすることもできる。これによって、上框１１、下框１２、縦框１３，１４のそれぞれで同じ押さえ片４２を使用しつつ、部品の兼用化及び部品点数の削除を実現できる。
【００４８】
また、上記実施形態で説明した上框１１、下框１２及び縦框１３，１４の構成に限られず、框体の構成は適宜変更することができる。例えば、框体（上框、下框、吊元側縦框及び戸先側縦框）の見込方向室内側及び室外側の何れか一側又は両方にアルミ形材等の金属製のカバー部材を配置する構成としてもよい。
【符号の説明】
【００４９】
１  建具
１０  框体
１３，１４  縦框
２５  ガラス
４０ａ  ガラス外れ止め部材（第１ガラス外れ止め部材）
４０ｂ  ガラス外れ止め部材（第２ガラス外れ止め部材）
４１  保持金具（金属製保持部材）
４２  押さえ片（第１押さえ片、第２押さえ片）
１４１  樹脂保持部材
【図１】
2019065559.tif 000003
【図２】
2019065559.tif 000004
【図３】
2019065559.tif 000005
【図４】
2019065559.tif 000006
【図５】
2019065559.tif 000007
【図６】
2019065559.tif 000008
【図７】
2019065559.tif 000009
【図８】
2019065559.tif 000010